(57)【要約】【課題】投射型画像装置に用いられる放電灯の長寿命化に関して、放電灯に供給する電力を周期的に変動させると共に電力の変化と同調して放電灯の駆動周波数を周期的に変動させることで、放電灯の長寿命化を図る手法において、放電灯の駆動周波数が、画像表示部の表示周波数と一定周期で同期する関係になったときに、画像に横線状のノイズが発生するという課題がある。【解決手段】本発明は、複数ある画像ノイズが発生する周波数を避けながら、放電灯に供給する電力を周期的に変動させると共に電力の変化と同調して放電灯の駆動周波数を周期的に変動させることで、放電灯の寿命特性に対する延命効果を損なうことなく、画像に横線状のノイズを発生させない効果を得ることができる。【選択図】図６
2010128268.tif 000002
【特許請求の範囲】
【請求項１】
電力制御信号に応じて入力直流電圧を降圧して所望の直流電圧を出力する直流−直流変換器と、
矩形波状の駆動制御信号に応じて前記直流−直流変換器からの直流電流を交流電流に転流する転流器と、
前記転流器からの交流電流が供給される高圧放電灯と、
前記駆動制御信号を出力するとともに、前記高圧放電灯に流れる電流の値または前記高圧放電灯の電圧の値に基づいて前記高圧放電灯における電力値を制御可能な前記電力制御信号を出力する制御部と、
を有する放電灯点灯装置であって、
高圧放電灯の電力値を時間とともに周期的に変化させるとともに、それと同調して周期的に前記駆動制御信号の周波数を変化させながら、変化させる周波数領域の中で、画像表示部の表示周波数と一定周期で同期する周波数を避けることを特徴とする放電灯点灯装置。
【請求項２】
制御部は、時間とともに電力値を周期的に変化させる電力制御パターンと、
それに同調して前記駆動制御信号の周波数を変化させながら、変化させる周波数領域の中で、画像表示部の表示周波数と一定周期で同期する周波数を避ける周波数制御パターンをそれぞれ記録し発生させる演算部を有する請求項１の放電灯点灯装置。
【請求項３】
制御部は、時間とともに電力値が周期的に変化する電力制御パターンを１つ以上記録し発生させる演算部を有し、
その電力値の変化に同調して前記駆動制御信号の周波数を変化させながら変化させる周波数領域の中で、画像表示部の表示周波数と一定周期で同期する周波数を避ける周波数制御回路を有する請求項１の放電灯点灯装置。
【請求項４】
制御部は、時間とともに電力値を周期的に変化させる電力制御パターンと、
それに同調して前記駆動制御信号の周波数を変化させながら、変化させる周波数領域の中で、画像表示部の表示周波数と一定周期で同期する周波数を避ける周波数制御パターンをそれぞれ２つ以上記録し発生させる演算部とを有し、
且つ投影型画像装置で検出された使用環境または動作状態または投影型画像装置の入力信号により高圧放電灯を制御する外部信号を備え、
前記電力制御パターンと前記周波数制御パターンを選択指示することを特徴とする請求項１の放電灯点灯装置。
【請求項５】
制御部は、時間とともに電力値が周期的に変化する電力制御パターンを２つ以上記録し発生させる演算部を有し、
その電力値の変化に同調して前記駆動制御信号の周波数を変化させながら、変化させる周波数領域の中で、画像表示部の表示周波数と一定周期で同期する周波数を避ける周波数制御回路を有し、
且つ投影型画像装置で検出された使用環境または動作状態または投影型画像装置の入力信号により高圧放電灯を制御する外部信号を備え、
前記電力制御パターンと前記周波数制御回路の出力値を選択指示することを特徴とする請求項１の放電灯点灯装置。
【発明の詳細な説明】
【技術分野】
【０００１】
本発明は高圧水銀灯ランプ等の放電灯を点灯させる放電灯点灯装置及びこれら放電灯を用いた投射型画像装置に関するものである。
【背景技術】
【０００２】
投射型画像装置に用いられる高圧放電灯（以下放電灯）の寿命に関しては、放電灯として内部に封入されるハロゲン化物等の種類や比率の最適化、または、バルブや電極構造の技術改良により長寿命化が図られてきたものの、有効使用性能を初期照度の維持率（以下照度維持率）５０％とした場合、一般的に約２０００〜３０００時間程度であり、投射型画像装置の他の構成要素と比較して、十分な時間であるとは言い難い。
【０００３】
前述のような放電灯での改良の一方で、制御技術での改善もさまざまな手法により実施されている。
【０００４】
その中で放電灯に供給する電力を周期的に変動させると共に電力の変化と同調して放電灯の駆動周波数を周期的に変動させることで、放電灯の長寿命化を図る放電灯点灯装置が開示されている（特許文献１参照）。
【特許文献１】特開２００８−２６２８０７号公報
【発明の開示】
【発明が解決しようとする課題】
【０００５】
投射型画像表示装置（以下プロジェクター）の使用される状況に関して、従来までは、学校等の教育機関や企業の会議室等での使用と、一部のマニア層の支持が主だったものであったが、現在では広く民生市場にも普及しつつあり、従来以上にその使用される環境が急速に拡大しつつある。
【０００６】
また、プロジェクターの使用時間そのものが確実に増えており、従来以上に使用される状況が拡大している。
【０００７】
また使用環境の拡大とともに、プロジェクターというものについての知識が浅いユーザーが使用する機会も多くなっており、そういったユーザーに対して長期的に安心して使用可能だという安心感を与えることも重要な意義があり、そのようなユーザーにとっては、長期的に出来る限りメンテナンスフリーであることに対しての要望が非常に大きくなっている。
【０００８】
プロジェクターの構成要素の中で、メンテナンスフリーであることを考えた際、その阻害要因として非常に大きな割合を占めるのが放電灯の寿命である。放電灯については他の構成要素に対しての寿命が短く、交換できることが前提の構造になっている。交換自体はユーザーが比較的容易に可能であるものの必ずしも交換用放電灯が用意されているとは限らないし、寿命が短く頻繁に交換が必要な場合にはマイナスイメージを抱かれることは否めない。
【０００９】
前述の問題点に対して、従来から放電灯の長寿命化への取り組みは重要課題として積極的に行われてきた。その中で、特許文献１に記載されるように、放電灯に供給する電力を周期的に変動させると共に電力の変化と同調して放電灯の駆動周波数を周期的に変動させる放電灯点灯装置に関する発明が開示されており、この発明は、放電灯の長寿命化に貢献している。
【００１０】
しかしながら、この放電灯点灯装置に関する発明は一定範囲で放電灯の駆動周波数を周期的に変化させているため、画像表示部の表示周波数と放電灯の駆動周波数が特定の関係となったときに、画像に横線状のノイズが確認されることがある。
【００１１】
広く民生市場にも普及しつつあり、使用される環境が急速に拡大しつつある画像表示装置であるプロジェクターとしては、当然ながらこのノイズは見過ごせない現象である。
【００１２】
本発明はプロジェクターなどに用いられる放電灯点灯装置に使用される放電灯に対しての長寿命化の効果を損なうことなく、その長寿命化の制御によって発生する画像に表れる横線状のノイズを低減するものである。
【課題を解決するための手段】
【００１３】
上記の課題を解決するために、本発明の放電灯点灯装置は、電力制御信号に応じて入力直流電圧を降圧して所望の直流電圧を出力する直流−直流変換器と、矩形波状の駆動制御信号に応じて前記直流−直流変換器からの直流電流を交流電流に転流する転流器と、前記転流器からの交流電流が供給される高圧放電灯と、前記駆動制御信号を出力するとともに前記高圧放電灯に流れる電流の値または前記高圧放電灯の電圧の値に基づいて前記高圧放電灯における電力値を制御可能な前記電力制御信号を出力する制御部とを有し、高圧放電灯の電力値を時間とともに周期的に変化させるとともにそれと同調して周期的に前記駆動制御信号の周波数を変化させるが、その変化する周波数は画像表示部の表示周波数と特定の一定周期で同期する周波数を避ける（間引く）ことを特徴とする。
【００１４】
前記制御部は時間とともに電力値が周期的に変化する電力制御パターンとそれに同調して前記駆動制御信号の周波数が変化する周波数制御パターンをそれぞれ一つ以上記録し発生させる演算部を有し、電力値と周波数を一対の制御情報として同時に制御し、画像表示部の表示周波数と特定の一定周期で同期する周波数を避ける（間引く）変化をさせることを特徴とする。
【００１５】
前記制御部は時間とともに電力値が周期的に変化する電力制御パターンを一つ以上記録し発生させる演算部を有し、その制御された結果の電力値から前記駆動制御信号の周波数を変化させる周波数制御回路を有し、それにより高圧放電灯の電力値とともに周期的に前記駆動制御信号の周波数を変化させながら、画像表示部の表示周波数と特定の一定周期で同期する周波数を避ける（間引く）ことを特徴とする。
【００１６】
前記制御部は時間とともに電力値が周期的に変化する電力制御パターンとそれに同調して前記駆動制御信号の周波数が変化し、画像表示部の表示周波数と特定の一定周期で同期する周波数を避ける（間引く）周波数制御パターンを２つ以上記録し発生させる演算部を有し、且つプロジェクターで検出された使用環境または動作状態またはプロジェクターの入力信号により高圧放電灯を制御する外部信号を備え、前記電力制御パターンと前記周波数制御パターンを選択指示することを特徴とする。
【００１７】
前記制御部は時間とともに電力値が周期的に変化する電力制御パターンを２つ以上記録し発生させる演算部を有し、その制御された結果の電力値から前記駆動制御信号の周波数を変化させ、画像表示部の表示周波数と特定の一定周期で同期する周波数を避ける（間引く）周波数制御回路を有し、且つプロジェクターで検出された周囲環境または動作状態またはプロジェクターの入力信号により高圧放電灯を制御する外部信号を備え、前記電力制御パターンと前記周波数制御回路の出力値を選択指示することを特徴とする。
【発明の効果】
【００１８】
本発明により、プロジェクターに用いられる放電灯の電力値と駆動周波数を周期的に同調して変化させ、かつ、画像ノイズが発生する周波数を避ける（間引く）ことにより、初期輝度の低下率で定められる放電灯の寿命特性を改善する延命効果を維持しながらプロジェクターの画像に横線状のノイズを発生させないようにすることができる。
【００１９】
その結果として、プロジェクターに使用される放電灯の交換回数を大きく減らし、ユーザーのメンテナンスコストの削減に貢献しつつ、ノイズの無いクリアな画質の画像表示装置を提供することが可能となる。
【発明を実施するための最良の形態】
【００２０】
以下に本発明を実施するための最良の形態について、図面を参照しながら説明する。
【００２１】
（実施の形態１）
本発明について図１〜図８を用いて説明する。
【００２２】
図１は本発明の放電灯点灯装置の１実施例である。本発明の放電灯点灯装置は、図１に於いて、放電灯Ｌによって決まる放電灯電圧を生成し、所望の放電灯電力を供給する電力供給部（直流−直流変換器）１、該電力供給部１の出力電圧をＱ１〜Ｑ４のスイッチ素子をＯＮ／ＯＦＦ制御することで放電灯Ｌに交流電圧を印加し、交流電流を流すインバータ（転流器）２、放電灯Ｌを点灯させるため、放電灯Ｌの電極間に放電を起こさせることを目的として点灯始動時のみ高電圧を発生させる高圧発生部３、放電灯Ｌへの供給電力とインバータ２への駆動信号であるＳＷドライブ１とＳＷドライブ２を制御する制御部４、とで構成されている。
【００２３】
電力供給部（直流−直流変換器）１は入力電圧である約３８０Ｖの電圧を降圧することにより放電灯Ｌが必要とする電圧を生成し、所望の放電灯電力を供給する。放電灯電力の制御は電力供給部駆動信号ａにより制御部４にて行われる。
【００２４】
インバータ（転流器）２は４つのスイッチ素子からなるフルブリッジ回路部と電圧検出部Ｖｄｅｔと電流検出部Ｉｄｅｔとで構成されており、制御部４から相互に位相制御された矩形波信号であるＳＷドライブ１とＳＷドライブ２によってフルブリッジ回路部の４つのスイッチ素子をＯＮ／ＯＦＦ制御し電力供給部（直流−直流変換器）１にて生成された直流電圧を交流電圧に変換することで、放電灯Ｌに交流電流を流す。また電圧検出部Ｖｄｅｔから放電灯電圧信号ｂと電流検出部Ｉｄｅｔから放電灯電流信号ｃを制御部４にフィードバックする機能も兼ね備えている。
【００２５】
制御部４の構成を図２に示す。制御部４にはインバータ２の電圧検出部Ｖｄｅｔからフィードバックされる放電灯電圧信号ｂと電流検出部Ｉｄｅｔからフィードバックされる放電灯電流信号ｃがマイコン等で構成される演算部Ｍに入力される。入力された放電灯電圧信号ｂはメモリ内の電力パターン部で演算され所望の放電灯電力となるための設定すべき目標放電灯電流値ｅを得て、その値と放電灯電流信号ｃを常に比較し、二者が同一となるように電力制御信号ｆを出力する。その電力制御信号ｆは電力制御部に入力され電力供給部１の制御信号である電力供給部駆動信号ａを出力し、放電灯の電力値が狙いの電力値となるように制御されている。
【００２６】
また演算部Ｍのメモリ内の電力パターン部には放電灯電力を時間とともに周期的に変化させるための電力変化パターンが記憶されており、その電力変化パターンに従い、入力された放電灯電圧信号ｂから演算された目標放電灯電流値ｅを変化させることによって、最大定格電力が２５０Ｗの放電灯に供給する電力を２００Ｗから２５０Ｗの変化範囲で１周期約２４０ｓｅｃにて変化できるようにプログラミングされている。また、電力パターン部は目標放電灯電流値ｅを出力すると同時にその時の電力値情報ｇを周波数パターン部に出力し周波数パターン部は入力された電力値情報ｇに応じた周波数制御信号ｈを駆動制御部に出力する。駆動制御部は周波数制御信号ｈに応じた周波数でＳＷドライブ１とＳＷドライブ２を出力し、インバータ２の出力電流すなわち放電灯電流の周波数を制御する。
【００２７】
それによって駆動制御部は周波数８０Ｈｚから１７０Ｈｚの変化範囲で１周期約２４０ｓｅｃにて電力変化パターンと同期して変化させることが可能となる。
【００２８】
上記の放電灯電力の電力パターンと放電灯電流の周波数パターンについて、時間的にリニアに変化させる場合の図を図３に示す。放電灯によっては、放電灯電流の周波数パターンが、放電灯電力の電力パターンと逆、即ち、放電灯電力が極大値のときに放電灯電流の周波数が極小値をとることもある。
【００２９】
放電灯は高温の電極部からの熱電子放出によるアーク放電によって点灯状態が維持されるがそのアーク放電により電極の金属が蒸発し、徐々に電極が消失しアーク放電させるための電極が無くなるかまたは、電極の消失していく過程で電極間距離が長くなるためにアーク放電が不可能となって、点灯できなくなり寿命を迎える。ただしそれ以前に電極間距離が長くなることによって、光源であるアーク放電の形状が点光源に近いものから楕円状の長細い形状となっていくために、その光源の集光効率が悪化し、照度は電極間距離の増加とともに減少する。
【００３０】
その対策として、電極の消失を極力低減する目的として放電灯内部にはハロゲンガスが封入されており蒸発した金属をまた電極として再生成させ、寿命を大幅に改善している。
【００３１】
そのメカニズムはまず、電極の素材であるタングステン等の金属が電子を放出して金属イオンとなり、この金属イオンが放電灯内部に封入されているハロゲンガスと結合してハロゲン化合物となる。次にそのハロゲン化合物が熱対流し、電極のアーク放電により熱集中している高温部に近づくことで高温のため再度、金属とハロゲンガスに分解されて電極を再生成する。
【００３２】
上記のことから電極形状を長期間に渡ってアーク放電に最適な形状に維持させていくことが放電灯の寿命に関しては最も重要であり、電極を再生成することでそれを行っている。
【００３３】
つまり電極の再生成の際の重要な要素は電極部の温度であるため、当然ながら放電灯電力については高いほど電極部の温度は高温になり、駆動周波数によっては電極の温度と熱集中範囲が変化することが知られており、両者の最適条件を決定することが非常に重要である。
【００３４】
以上のことから、放電灯の寿命を考える際は、放電灯電力の値によって最適な放電灯電流の周波数が存在するため、放電灯電力が変化する場合はそれに同調して放電灯電流の周波数も最適な周波数に変化させることが、長寿命化を図る上で重要なポイントとなる。
【００３５】
放電灯の電力値を周期的に変動させ、放電灯電流の周波数もそれに同調して最適周波数で変化させた場合の効果については、特許文献１によって開示されている。
【００３６】
しかしながら、放電灯電流は図４のような交流電流波形であり、その周波数は周波数パターンで決定される周波数となり、その周波数パターンで決定される周波数の２倍の周波数で、瞬間的ではあるものの、大きな輝度変化が発生する。この輝度変化が画像表示部の表示周波数と一定周期で同期する周波数となったときに、画像に横線状のノイズが確認されることがある。
【００３７】
そのノイズの発生メカニズムを図５にて説明する。
【００３８】
(1)の放電灯電流周波数の２倍 = ｎ(整数）× ｆｖのとき（ｆｖは画像表示部の表示周波数）
この場合、大きな輝度変化が画像表示部の表示周波数と同期するため、大きな輝度変化による横線状のノイズが毎フレーム同じ位置に発生し、はっきりした横線として認識される。
【００３９】
(2)の放電灯電流周波数の２倍 = ｎ(奇数）× （ｆｖ／２）のとき（ｆｖは画像表示部の表示周波数）
この場合、大きな輝度変化が画像表示部の表示周波数の２周期ごとに同期する。
【００４０】
大きな輝度変化による横線状のノイズが２フレーム毎に同じ位置に発生し、横線状のノイズとして認識される。ただし、２フレーム毎に同期するため、(1)のノイズレベルと比べるとかなり弱まったレベルとなる。
【００４１】
(3)放電灯電流周波数の２倍 = ｎ（３の倍数以外）×（ｆｖ／３）のとき（ｆｖは画像表示部の表示周波数）
この場合、大きな輝度変化が画像表示部の表示周波数の３周期ごとに同期する。
【００４２】
大きな輝度変化による横線状のノイズが３フレーム毎に同じ位置に発生し、横線状のノイズとして認識される。ただし、３フレーム毎に同期するため、(2)のノイズレベルよりもさらに弱まったレベルとなり、輝度変化のレベルや画像表示部の輝度変化に対しての影響の受け難さの程度によっては、ほとんど認識できない場合もある。
【００４３】
上記(1)、(2)、(3)のように、４フレーム毎、５フレーム毎・・・ｎフレーム毎に同期するノイズも存在するが、実際にノイズとして認識されることはほとんど無いと考えられる。
【００４４】
これにより、画像に横線状のノイズを発生させないための、放電灯電流の周波数パターンは上述の画面上の横線状のノイズ発生メカニズムと放電灯電流の周波数が時間的に常に変化しており、よりノイズとして認識され難い状況であることと実際の実験結果により、２フレーム以内で同期する周波数とその周辺の±数Ｈｚを間引いた周波数変化パターンとする。
【００４５】
周辺の数Ｈｚを間引く理由は、完全に同期した周波数ではなくとも、完全に同期する周波数の近傍では、横線状のノイズが上または下に緩やかに移動する現象となって確認されるためである。
【００４６】
その結果として、画像に横線状のノイズを発生させない放電灯電力の電力パターンと放電灯電流の周波数パターンを図６に示す。
【００４７】
ここで図６では放電灯電力と放電灯電流の周波数は一対の関係とし、間引き動作のため周波数を変化させない期間は放電灯電力も連動して変化させない仕様とした。
【００４８】
これは、欠点として、間引く放電灯電流の周波数が多くなると、放電灯電力の変化ステップが粗くなり、変化幅が大きくなるため、放電灯電力が変化することによる輝度変化が画像として認識される可能性が考えられ、実機での目視確認等による詳細な確認が必要となるものの、制御仕様または周波数パターンが単純であることと、放電灯電力に対しての最適な放電灯電流の周波数の関係は常に維持されるため、放電灯の寿命に対する延命効果が維持されるという大きな利点があるためである。
【００４９】
実際に放電灯の寿命特性を比較実験した結果でも、図３と図６のパターンによる放電灯の寿命の差は確認できなかった。
【００５０】
また、仕様として、放電灯電力は時間軸上でリニアな変化をさせたまま、放電灯電流の周波数のみを変化させる方法もあるが、制御仕様または周波数パターンとして複雑になることと、間引く放電灯電流の周波数が多くなると、放電灯の寿命に対する延命効果があまり得られなくなるという大きな欠点がある。
【００５１】
上述の放電灯電力と駆動周波数の周期的な変動を実施させるかどうかについては、それを制御するものは存在せず、放電灯が点灯直後から自動的に周期的な変動を発生させるものである。
【００５２】
ただし、電流検出部Ｉｄｅｔからの放電灯電流信号ｃまたは電圧検出部Ｖｄｅｔからの放電灯電圧信号ｂの信号を元に放電灯電力と駆動周波数の周期的な変動を実施するかどうかを制御可能であるし、下記に記述する外部信号５によっても同様に制御可能である。
【００５３】
外部信号５は放電灯点灯のＯＮ／ＯＦＦ等を行う、放電灯点灯装置の外部からの制御信号である。
【００５４】
その放電灯点灯装置の外部の制御部は放電灯の使用温度の管理と制御や使用積算時間の管理を行う機能を有し、放電灯の使用温度や使用積算時間の状況に応じて、外部信号５の出力信号ｄの制御情報を変化することが可能である。また上述した電力パターンや周波数パターン等の演算部Ｍの一部機能を外部信号５によって行うことも可能である。
【００５５】
ここで、先に述べた画像に横線状のノイズを発生させない制御を考えると、画像表示部の表示周波数は単一の周波数ではなく、入力される映像信号の垂直同期周波数によって選択されて複数の表示周波数を持つ場合がある。複数のそれぞれの周波数に対して、最低２フレーム以内で同期する全ての周波数を間引いた場合、上述したように、間引く周波数が多くなりすぎることで、放電灯電力の変化幅が大きくなるため、放電灯電力が変化することによる輝度変化が画像として認識される、または、放電灯電力に応じて放電灯電流の周波数を変化させることで得られる放電灯寿命の延命効果が得られなくなる可能性がある。
【００５６】
これに対しての対策として、放電灯電流の周波数パターンを画像表示部のそれぞれの表示周波数に対応させて複数持ち、放電灯点灯装置の外部で、入力される映像信号の垂直同期周波数によって、外部信号５の制御情報として受け取り、放電灯電流の周波数パターンを選択することで、間引く周波数を最小限にし、上述の懸念される課題を解消する。
【００５７】
画像表示部の表示周波数が５０Ｈｚと６０Ｈｚを持つ場合の(1)５０Ｈｚと６０Ｈｚの両方の横線状のノイズを発生させる周波数を間引く場合、(2)５０Ｈｚで発生する横線状のノイズを発生させる周波数を間引く場合、(3)６０Ｈｚの横線状のノイズを発生させる周波数を間引く場合、のそれぞれについて、放電灯電力の電力パターンと放電灯電流の周波数パターンを図３、図７、図８に示す。
【００５８】
放電灯の電力と同調して駆動周波数を周期的に変化させる方法としては上述したメモリ内に周波数変化パターンとして格納し制御を行う手段とは別に、演算部から電力値に応じた制御電圧または電流を出力させ、その電圧または電流に応じて駆動周波数が変化する周波数制御回路、例えば電圧制御発振器（ＶＣＯ）等によっても実現可能である。
【００５９】
また、上述の電力パターンは１種類にて説明を行っているが、それぞれ複数個以上または１つの周波数パターンに対して複数の電力パターンを持つことも可能であり、放電灯の使用温度や使用時間によって外部信号５の出力信号ｄに従って、または電流検出部Ｉｄｅｔからの放電灯電流信号ｃ及び電圧検出部Ｖｄｅｔからの放電灯電圧信号ｂの信号によって所定の条件によって選択できるようにすることも可能である。さらに上述したように複数の電力パターン及び複数の周波数パターンを演算部Ｍ内に格納するのではなく、外部信号５に同等機能を持たせることも可能である。
【産業上の利用可能性】
【００６０】
本発明のプロジェクターに用いられる放電灯点灯装置は、放電灯に供給する電力と放電灯の駆動周波数を相互に同調して周期的に変化させ、且つ放電灯電力に対して常に最適な放電灯の駆動周波数で使用することによって、得られる放電灯の延命効果を損なうことなく、画像表示部の表示周波数と特定の一定周期で同期する値を避けた周波数で、放電灯を駆動することでノイズの無いクリアな画質の画像表示装置を提供することが可能となる。
【００６１】
放電灯の電圧値や電流値によって周期的な電力と周波数の変化をＯＮ／ＯＦＦすることが可能であり、またプロジェクターの仕様またはプロジェクターに用いられる画像表示部の仕様により、周期的な変化パターンを複数搭載し、外部信号等によりそれを選択し実行することも可能であるため、汎用性高く、応用範囲が広いため、高圧水銀ランプ等の放電灯を点灯させる放電灯点灯装置及び、これら放電灯を用いたプロジェクターとして有用である。
【図面の簡単な説明】
【００６２】
【図１】本発明の実施の形態における回路ブロック図
【図２】図１の制御部の構成例を示す回路ブロック図
【図３】放電灯点灯装置における、従来までの時間的にリニアな変化をする放電灯電力の電力パターンと放電灯電流の周波数パターンを示す図
【図４】放電灯電流と大きな輝度変化を示す図
【図５】画像に表れる横線状のノイズの発生メカニズムを示す図
【図６】画像に横線状のノイズが発生する周波数を間引いた放電灯電力の電力パターンと放電灯電流の周波数パターンを示す図
【図７】画像表示部の表示周波数が５０Ｈｚのときに、画像に横線状のノイズが発生する周波数を間引いた放電灯電力の電力パターンと放電灯電流の周波数パターンを示す図
【図８】画像表示部の表示周波数が６０Ｈｚのときに、画像に横線状のノイズが発生する周波数を間引いた放電灯電力の電力パターンと放電灯電流の周波数パターンを示す図
【符号の説明】
【００６３】
１  電力供給部
２  インバータ
３  高圧発生部
４  制御部
５  外部信号
Ｖｄｅｔ  電圧検出部
Ｉｄｅｔ  電流検出部
ＳＷドライブ１  インバータＯＮ／ＯＦＦ制御１
ＳＷドライブ２  インバータＯＮ／ＯＦＦ制御２
Ｍ  演算部
Ｌ  放電灯
ａ  電力供給部駆動信号
ｂ  放電灯電圧信号
ｃ  放電灯電流信号
ｄ  外部信号の出力信号
ｅ  目標放電灯電流値
ｆ  電力制御信号
ｇ  電力値情報
ｈ  周波数制御信号
【図１】
2010128268.tif 000003
【図２】
2010128268.tif 000004
【図３】
2010128268.tif 000005
【図４】
2010128268.tif 000006
【図５】
2010128268.tif 000007
【図６】
2010128268.tif 000008
【図７】
2010128268.tif 000009
【図８】
2010128268.tif 000010